(57)【要約】【課題】  外部記憶媒体に記憶されているコンテンツデータを、複数の外部記憶媒体から速やかに内部記憶装置へ記録させ且つこのコンテンツデータによって構成されるコンテンツ情報をユーザに伝達するようにする。【解決手段】  コンテンツデータ（データ）が記憶された外部記憶媒体１６を複数保持する外部記憶媒体保持部１１と、データが記録される内部記憶装置１３と、外部記憶媒体１６よりデータを読込む読込部１７と、内部記憶装置１３に記録する記録部２１と、読込部２１を制御する制御部２２と、内部記憶装置１３からデータを読み出してコンテンツ情報とする読出部２３と、読出部２３から受信したコンテンツ情報をユーザに対して伝達する伝達部１４とをそなえ、内部記憶装置１３からのデータの読出し速度よりも、外部記憶媒体１６からのデータの読込み速度の方が、速くなるように設定する。【選択図】        図１
2006268954.tif 000002
【特許請求の範囲】
【請求項１】
少なくとも音または映像を含む情報であるコンテンツ情報をユーザに対して伝達するコンテンツ情報の記憶再生装置であって、
コンテンツ情報を構成するデータであるコンテンツデータが記憶された外部記憶媒体を着脱可能に複数保持する外部記憶媒体保持部と、
コンテンツデータが記録される内部記憶装置と、
該外部記憶媒体保持部によって保持されている複数の外部記憶媒体のうちのいずれかよりコンテンツデータを読込む読込部と、
該読込部によって読込まれたコンテンツデータを該内部記憶装置に記録する記録部と、
該読込部によって読込まれたコンテンツデータを読込むように該読込部を制御する制御部と、
該内部記憶装置に記録されたコンテンツデータを読み出してコンテンツ情報とする読出部と、
該読出部から受信したコンテンツ情報をユーザに対して伝達する伝達部とをそなえ、
該読出部による該内部記憶装置からのコンテンツデータの読出し速度よりも、該読込部による該外部記憶媒体からのコンテンツデータの読込み速度の方が、速くなるように設定される
ことを特徴とする、コンテンツ情報の記憶再生装置。
【請求項２】
該読込部は、標準読込み速度のｎ倍（但し、ｎ＞１）で読込みを行なうように設定され、
該制御部は、該記録部によって一方の該外部記憶媒体における全てのコンテンツデータが該内部記憶装置に記録された後に、他方の該外部記憶媒体に記憶されているコンテンツデータを順次読込むように該読込部を制御する
ことを特徴とする、請求項１記載の、コンテンツ情報の記憶再生装置。
【請求項３】
該読込部は、標準読込み速度のｎ倍（但し、ｎ＞１）で読込みを行なうように設定され、
該外部記憶媒体には、コンテンツデータが所定の単位毎に記憶されている場合、
該制御部は、該記録部によって所定の該外部記憶媒体における所定単位のコンテンツデータが該内部記憶装置に記録された後に、他の該外部記憶媒体に記憶されている所定単位のコンテンツデータを順次読込むように該読込部を制御する
ことを特徴とする、請求項１記載の、コンテンツ情報の記憶再生装置。
【請求項４】
該制御部は、
コンテンツデータが該内部記憶装置に記録されていない場合には、該外部記憶媒体に記憶されたコンテンツデータを優先的に該読込部により読み込むように制御する
ことを特徴とする、請求項１〜３いずれか１項に記載のコンテンツ情報の記憶再生装置。
【請求項５】
該制御部は、
該読込部による読込みが中断された際の該外部記憶媒体における読込み箇所を中断箇所として記憶し、
該外部記憶媒体からのコンテンツデータの読込みを再開する場合には、
該中断箇所以降のコンテンツデータを読込むように該読込部を制御する
ことを特徴とする、請求項１〜４いずれか１項に記載のコンテンツ情報の記憶再生装置。
【請求項６】
該読込部は、読込んだ該外部記憶媒体内のコンテンツデータを該内部記憶装置を介さずにコンテンツ情報として該伝達部へ出力する直接出力部をそなえ、
該伝達部は、該読出部または該直接出力部から受信したコンテンツ情報のうちいずれか
一方をユーザに対して伝達する切替部とをそなえる
ことを特徴とする、請求項１〜５いずれか１項に記載のコンテンツ情報の記憶再生装置。
【請求項７】
該制御部は、
該内部記憶装置に記録されていないコンテンツデータを複数の該外部記憶媒体から順次読込むように、読込みが行なわれていない該読込部を制御する
ことを特徴とする、請求項１〜６いずれか１項に記載のコンテンツ情報の記憶再生装置。
【請求項８】
該読込部が、複数そなえられている
ことを特徴とする、請求項１〜７いずれか１項に記載のコンテンツ情報の記憶再生装置。
【請求項９】
該制御部は、該内部記憶装置に記録されていないコンテンツデータを該複数の該外部記憶媒体から順次読込むように、読込みが行なわれていない該読込部を制御する
ことを特徴とする、請求項８に記載のコンテンツ情報の記憶再生装置。
【発明の詳細な説明】
【技術分野】
【０００１】
本発明は、車載用に用いられて好適な、コンテンツ情報の記憶再生装置に関するものである。
【背景技術】
【０００２】
音楽に代表される録音物はＣＤ(Compact Disc)等の記憶媒体に記憶された状態で市場において流通されるのが一般的である。また、映画に代表される録画物も、同様に、ＤＶＤ(Digital Versatile Disc)等の記憶媒体に記憶された状態で市場において流通されている。なお、これらのＣＤやＤＶＤといった記憶媒体を、以後、「外部記憶媒体」という場合がある。
【０００３】
他方、近年、ハードディスクドライブ（Hard Disk Drive 以後、単に「ＨＤＤ」という）に代表される大容量の記憶装置を内蔵したオーディオ機器や映像機器（以下、単に「ＡＶ機器」という）の普及が進んでいる。なお、このＨＤＤに代表される大容量記憶装置を、以後、「内部記憶装置」という場合がある。
そして、このようなＨＤＤ内蔵型のＡＶ機器によれば、ＣＤ内の音楽データやＤＶＤ内の動画データをＨＤＤに対して記憶させることができるようになっている。したがって、ＣＤ内の音楽データやＤＶＤ内の動画データをこのＨＤＤに対して一旦記憶させてしまえば、その後、ユーザは、これらのＣＤやＤＶＤを当該ＡＶ機器に対して挿入したり取り出したりすることなく、所望の音楽や映像を手軽に楽しむことができるようになっている。なお、このように、外部記憶媒体に記憶されているデータを内部記憶装置に取り込むことを、一般的に「リッピング」という。
【０００４】
このように、ＨＤＤが内蔵されたＡＶ機器は近年広まる傾向にあり、一般家庭などで用いられるＡＶ機器のみならず、例えば、車載用のＡＶ機器にＨＤＤを内蔵させたものも存在する。なお、このようなＨＤＤ内蔵型の車載用ＡＶ機器に関する技術の具体例としては、以下の特許文献１や特許文献２の技術が挙げられる。
【特許文献１】特開２００１−１５５４１１号公報
【特許文献２】特開２００３−５９１７２号公報
【発明の開示】
【発明が解決しようとする課題】
【０００５】
しかしながら、一般的なＨＤＤ内蔵型のＡＶ機器によれば、一旦、リッピングが完了してしまえば、その後、ユーザに要求される操作上の手間は非常に軽減されるという利点はあるものの、リッピングする際にＣＤやＤＶＤといった外部記憶媒体を１枚ずつＨＤＤ内蔵型ＡＶ機器に挿入したり取り出したりしなくてはならず、手間や時間がかかってしまうという課題がある。
【０００６】
本発明はこのような課題に鑑み案出されたもので、外部記憶媒体に記憶されているコンテンツデータを、複数の外部記憶媒体から速やかに内部記憶装置へ記録させ且つこのコンテンツデータによって構成されるコンテンツ情報をユーザに伝達することができる、コンテンツ情報の記憶再生装置を提供することを目的とする。
【課題を解決するための手段】
【０００７】
上記目的を達成するため、本発明のコンテンツ情報の記憶再生装置（請求項１）は、少なくとも音または映像を含む情報であるコンテンツ情報をユーザに対して伝達するコンテンツ情報の記憶再生装置であって、コンテンツ情報を構成するデータであるコンテンツデ
ータが記憶された外部記憶媒体を着脱可能に複数保持する外部記憶媒体保持部と、コンテンツデータが記録される内部記憶装置と、
該外部記憶媒体保持部によって保持されている複数の外部記憶媒体のうちのいずれかよりコンテンツデータを読込む読込部と、該読込部によって読込まれたコンテンツデータを該内部記憶装置に記録する記録部と、該読込部によって読込まれたコンテンツデータを読込むように該読込部を制御する制御部と、該内部記憶装置に記録されたコンテンツデータを読み出してコンテンツ情報とする読出部と、該読出部から受信したコンテンツ情報をユーザに対して伝達する伝達部とをそなえ、該読出部による該内部記憶装置からのコンテンツデータの読出し速度よりも、該読込部による該外部記憶媒体からのコンテンツデータの読込み速度の方が、速くなるように設定されることを特徴としている。
【０００８】
また、請求項２記載の本発明のコンテンツ情報の記憶再生装置は、請求項１記載の内容において、該読込部は、標準読込み速度のｎ倍（但し、ｎ＞１）で読込みを行なうように設定され、該制御部は、該記録部によって一方の該外部記憶媒体における全てのコンテンツデータが該内部記憶装置に記録された後に、他方の該外部記憶媒体に記憶されているコンテンツデータを順次読込むように該読込部を制御することを特徴としている。
【０００９】
また、請求項３記載の本発明のコンテンツ情報の記憶再生装置は、請求項１記載の内容において、該読込部は、標準読込み速度のｎ倍（但し、ｎ＞１）で読込みを行なうように設定され、該外部記憶媒体には、コンテンツデータが所定の単位毎に記憶されている場合、該制御部は、該記録部によって所定の該外部記憶媒体における所定単位のコンテンツデータが該内部記憶装置に記録された後に、他の該外部記憶媒体に記憶されている所定単位のコンテンツデータを順次読込むように該読込部を制御することを特徴としている。
【００１０】
また、請求項４記載の本発明のコンテンツ情報の記憶再生装置は、請求項１〜３いずれか１項に記載の内容において、該制御部は、コンテンツデータが該内部記憶装置に記録されていない場合には、該外部記憶媒体に記憶されたコンテンツデータを優先的に該読込部により読み込むように制御することを特徴としている。
また、請求項５記載の本発明のコンテンツ情報の記憶再生装置は、請求項１〜４いずれか１項に記載の内容において、該制御部は、該読込部による読込みが中断された際の該外部記憶媒体における読込み箇所を中断箇所として記憶し、該外部記憶媒体からのコンテンツデータの読込みを再開する場合には、該中断箇所以降のコンテンツデータを読込むように該読込部を制御することを特徴としている。
【００１１】
また、請求項６記載の本発明のコンテンツ情報の記憶再生装置は、請求項１〜５いずれか１項に記載の内容において、該読込部は、読込んだ該外部記憶媒体内のコンテンツデータを該内部記憶装置を介さずにコンテンツ情報として該伝達部へ出力する直接出力部をそなえ、該伝達部は、該読出部または該直接出力部から受信したコンテンツ情報のうちいずれか一方をユーザに対して伝達する切替部とをそなえることを特徴としている。
【００１２】
また、請求項７記載の本発明のコンテンツ情報の記憶再生装置は、請求項１〜６いずれか１項に記載の内容において、該制御部は、該内部記憶装置に記録されていないコンテンツデータを複数の該外部記憶媒体から順次読込むように、読込みが行なわれていない該読込部を制御することを特徴としている。
また、請求項８記載の本発明のコンテンツ情報の記憶再生装置は、請求項１〜７いずれか１項に記載の内容において、該読込部が、複数そなえられていることを特徴としている。
【００１３】
また、請求項９記載の本発明のコンテンツ情報の記憶再生装置は、請求項８に記載の内容において、該制御部は、該内部記憶装置に記録されていないコンテンツデータを該複数
の該外部記憶媒体から順次読込むように、読込みが行なわれていない該読込部を制御することを特徴としている。
【発明の効果】
【００１４】
本発明のコンテンツ情報の記憶再生装置によれば、外部記憶媒体に記憶されているコンテンツデータを、複数の外部記憶媒体から速やかに内部記憶装置へ記録させ且つこのコンテンツデータによって構成されるコンテンツ情報をユーザに伝達することができる。（請求項１）
また、標準読込み速度のｎ倍（但し、ｎ＞１）で読込みを行なうことで素早くコンテンツデータを内部記憶装置に記録することができ、また、コンテンツデータを外部記憶媒体から外部記憶媒体毎に順次読込むことで、効率よく、コンテンツデータを内部記憶装置に記録することができる。（請求項２）
また、外部記憶媒体から標準読込み速度のｎ倍（但し、ｎ＞１）で読込みを行なうことで素早くコンテンツデータを内部記憶装置に記録することができ、また、外部記憶媒体内に所定の単位毎に記憶されたコンテンツデータを、当該単位毎に順次読込むことで、効率よく、コンテンツデータを内部記憶装置に記録することができる。（請求項３）
ユーザに対して伝達されるべきコンテンツ情報を構成するコンテンツデータが内部記憶装置に記録されていない場合には、当該コンテンツデータを外部記憶媒体から優先的に読み込むことで、ユーザに対して必要なコンテンツ情報を即座に伝達することができる。（請求項４）
外部記憶媒体からコンテンツデータの読込みが中断された場合であっても、その読込みが中断された箇所から再びコンテンツデータの読込みを開始できるので、重複してコンテンツデータを読み込むことを避けることができる。（請求項５）
また、外部記憶媒体から読み込んだコンテンツデータを、内部記憶装置を介さず、直接ユーザへコンテンツ情報として素早く伝達できる。（請求項６）
また、読込部による読込みが行なわれていない場合、即ち、読込部が休止している場合には、この休止中の読込部を活用して、内部記憶装置に記録されていないコンテンツデータを、複数の外部記憶媒体から効率よく順次読込むことができる。（請求項７）
また、複数の読込部によって外部記憶媒体からコンテンツデータを読み込むので、さらに効率よく、コンテンツデータを内部記憶装置に記録することができる。（請求項８）
また、複数の読込部のうち、休止中の読込部がある場合には、この休止中の読込部を作動させて、内部記憶装置に記録されていないコンテンツデータを複数の外部記憶媒体から順次読込むことで、コンテンツデータを効率よく内部記憶装置に記録することができる。（請求項９）
【発明を実施するための最良の形態】
【００１５】
以下、図面により、本発明の一実施形態に係るコンテンツ情報の記憶再生装置について説明すると、図１はその全体構成を示す模式的なブロック図、図２〜図４はその作用を示す模式的なフローチャートである。
図１に示すように、オーディオ装置１０は、車両に搭載されるいわゆるカーオーディオ機器であって、ディスクチェンジャユニット（外部媒体保持部）１１、コンピュータユニット１２、ハードディスクドライブ（内部記憶装置）１３、出力ユニット（伝達部）１４および操作部１５から主に構成されている。なお、このオーディオ装置１０は１２Ｖの直流電力を蓄えるバッテリ（図示略）からの電力供給を受けて作動するようになっている。
【００１６】
ディスクチェンジャユニット１１は、５枚の光ディスク（外部記憶媒体）１６Ａ〜１６Ｅをそれぞれ着脱可能に保持するものであって、コンピュータユニット１２からの制御を受けて作動するようになっている。また、このディスクチェンジャユニット１１に保持される第１ディスク１６Ａ〜第５ディスク１６Ｅは全て音楽用のＣＤであって、ＣＤ−ＤＡ(Compact Disc-Digital Audio)形式により音楽データが記録されている。また、このＣＤ
−ＤＡ形式で記録された第１〜第５ディスク１６Ａ〜１６Ｅには、それぞれ、１トラック（所定単位）毎に１つの音楽（コンテンツ情報）を構成する音楽データ（コンテンツデータ）が書き込まれるようになっている。
【００１７】
なお、本実施形態においてはこれらの第１ディスク１６Ａ〜第５ディスク１６Ｅに録音されている録音物（コンテンツ情報）が音楽である場合を例にとって説明するが、この録音物が音楽である必要はなく、例えば、人間の音声（例えば、英会話教材用の音声）であってもよいし、単なる音（例えば、波の音）などであってもよい。また、複数の第１ディスク１６Ａ〜第５ディスク１６Ｅそれぞれを特に区別する必要がない場合には、単に符号１６を付して「ディスク１６」として説明を進める。
【００１８】
このディスクチェンジャユニット１１には、第１ピックアップアッセンブリ（読込部）１７Ａと第２ピックアップアッセンブリ１７Ｂが内蔵されている。これらの第１および第２ピックアップアッセンブリ（以下、単に「ピックアップＡＳＳＹ）という）１７Ａ，１７Ｂは、それぞれ、ディスク１６から音楽データを読み込むものであって、スピンドルモータ，対物レンズ，レーザダイオード，光検出器など（いずれも図示略）が備えられている。なお、これらの第１および第２ピックアップＡＳＳＹ１７Ａ，１７Ｂをそれぞれ特に区別する必要のない場合には、単に符号１７を付して「ピックアップＡＳＳＹ１７」として説明を進める。
【００１９】
また、これらのピックアップＡＳＳＹ１７Ａ，１７Ｂには、それぞれ、直接出力回路（直接出力部）１８Ａ，１８Ｂが内蔵されている。なお、これらの直接出力回路１８Ａ，１８Ｂをそれぞれ特に区別する必要のない場合には、単に符号１８を付して「直接出力部１８」として説明を進める。
この直接出力回路１８は、ディスク１６から読み込んだ音楽データを、コンピュータユニット１２へ送信することなく、直接、出力ユニット１４へ音楽として出力するものである。例えば、このオーディオ装置１０のユーザが、ある音楽Ｍ1を構成する音楽データＭ1Dをハードディスクドライブ（以下、単に「ＨＤＤ」という）１３に記録せず、つまり、
リッピングを行なわずに聴きたいような場合には、この直接出力回路１８が作動することにより、ディスク１６に記憶されている音楽データＭ1D-CDを音楽Ｍ1として出力ユニット１４へ送信できるようになっている。
【００２０】
なお、この直接出力回路１８は、通常時には作動しないようになっているため、ピックアップＡＳＳＹ１７によってディスク１６から読み込まれた音楽データは、通常はコンピュータユニット１２を介してＨＤＤ１３へ送信されるようになっている。
コンピュータユニット１２は、ディスクチェンジャユニット１１、ＨＤＤ１３および出力ユニット１４に接続され、これらのディスクチェンジャユニット１１、ＨＤＤ１３および出力ユニット１４をそれぞれ制御できるようになっている。さらに、このコンピュータユニット１２は、操作部１５とも接続され、操作部１５を介してユーザの要求が入力されるようになっている。
【００２１】
また、このコンピュータユニット１２には、エンコーダ１９、記録部２１、制御部２２およびデコーダ（読出部）２３がそれぞれソフトウェアとして内蔵されている。
これらのうち、エンコーダ１９は、ディスク１６から読み出した音楽データの形式をＭＰ３(MPEG-1 Audio Layer3)形式に変換するものである。
また、記録部２１は、ピックアップＡＳＳＹ１７によって読込まれた音楽データであって、エンコーダ１９によってＭＰ３形式に変換されたものをＨＤＤ１３に記録するものである。
【００２２】
また、ＨＤＤ１３に記録された音楽データは既にエンコーダ１９によってＭＰ３形式に
変換されているので、ディスク１６に記憶されている音楽データに比べてそのデータ量が約１０分の１に圧縮されて記録できるようになっている。なお、この圧縮率はユーザの要求に応じて変更することが可能であって、圧縮率を大きく設定すれば音質は低下するもののデータ量を小さくすることができ、一方、圧縮率を小さく設定すれば、データ量は大きくなるものの音質を向上させることができるようになっている。また、圧縮率の変更に関する要求は操作部１５を通じてコンピュータユニット１２に入力され、要求に応じた圧縮率でエンコーダ１９がＭＰ３形式に変換できるようになっている。
【００２３】
制御部２２は、ディスクチェンジャユニット１１に保持されている複数のディスク１６の中からピックアップＡＳＳＹ１７によって読込まれる対象となる音楽データを選定し、且つ、選定された音楽データを読込むようにピックアップＡＳＳＹ１７を制御するものである。
なお、ディスク１６からのリッピングは、「ディスクモード」と、「トラックモード」とが選択できるようになっている。これらのモードについては、図２〜図４に示すフローチャートを用いて後述するが、ここでは、その概要だけを簡単に説明する。
【００２４】
「ディスクモード」は、例えば、第１ディスク１６Ａにおける全トラックのリッピング完了後に、第２ディスク１６Ｂにおける全トラックのリッピングを開始し、その後、順次、第３ディスク１６Ｃ，第４ディスク１６Ｄ、そして、第５ディスク１６Ｅというように、ＣＤ毎にリッピングを実行するモードである。
他方、「トラックモード」は、例えば、第１ディスク１６Ａのトラック１のリッピングが完了後は、第２ディスク１６Ｂのトラック１のリッピングを実行する、というように、トラック毎にリッピングを実行するモードである。
【００２５】
また、この制御部２２は、ディスクチェンジャユニット１１にディスク１６が装填されているか否かを検出することができるようになっており、さらに、ディスク１６に記録されているトラック毎の音楽データのリッピングが完了しているか否かを判定することもできるようになっている。
また、この制御部２２は、第１および第２ピックアップＡＳＳＹ１７Ａ，１７Ｂのうち、休止中のものがある場合には、この休止中のピックアップＡＳＳＹを作動させて、ＨＤＤ１３に記録されていない音楽データを第１ディスク１６Ａ〜第５ディスク１６Ｅから順次読込むように制御することもできるようになっている。
【００２６】
また、デコーダ２３は、ＨＤＤ１３に記録されたＭＰ３形式の音楽データを読み出してデコードするとともに、Ｄ／Ａ変換を行ない、音楽として出力ユニット１４へ出力するものである。
また、出力ユニット１４は、切替部２５とアンプ２６とスピーカ２７とを有しており、これらのうち、切替部２５は、コンピュータユニット１２のデコーダ２３、または、ピックアップＡＳＳＹ１７の直接出力部１８のいずれかから入力された音楽をアンプ２６に向けて出力するものである。
【００２７】
また、アンプ２６は、切替部２５より入力された音楽を増幅するものであって、スピーカ２７よりユーザに対して増幅した音楽を伝達できるようになっている。
本発明の一実施形態に係るコンテンツ情報の記憶再生装置は上述のように構成されているので、以下のような作用および効果を奏する。
まず、図２に示す「ディスクモード」に基づいた処理ついて説明をする。なお、本処理はオーディオ装置（記憶再生装置）１０の動作中、他の処理と共に繰り返し実行される。
【００２８】
ステップＳ１１において、ディスクチェンジャユニット１１に装填された第１〜第５ディスク１６Ａ〜１６Ｅのうち、任意のディスク（以後、「第Ｘディスク１６Ｘ」という）
を再生する旨の要求が入力部１５より入力された場合には（Ｙｅｓルート）、その後、ステップＳ１２において、第Ｘディスク１６Ｘに記憶されている音楽データが既に音楽データとしてＨＤＤ１３内に記録されているか否か（即ち、リッピング済みであるか否か）が判定される。なお、この判定は制御部２２により行なわれる。なお、第Ｘディスク１６Ｘの再生要求がなければ処理を終える（ステップＳ１１のＮｏルート）。
【００２９】
ステップＳ１２において、第Ｘディスク１６Ｘのリッピングが完了していると判定された場合には（Ｙｅｓルート）、後述するステップＳ１５へ進み、一方、第Ｘディスク１６Ｘのリッピングが完了していないと判定された場合には（Ｎｏルート）、制御部２２が、第１ピックアップＡＳＳＹ１７Ａによって読込まれる対象として第Ｘディスク１６Ｘにおける全トラックの音楽データを選定し、且つ、選定された全トラックの音楽データを読込むように第１ピックアップＡＳＳＹ１７Ａを制御する（ステップＳ１３）。
【００３０】
その後、第Ｘディスク１６Ｘにおける全トラックの音楽データがＨＤＤ１３にＭＰ３形式の音楽データとして記録された（即ち、リッピングが完了した）場合には（ステップＳ１４のＹｅｓルート）、第Ｘディスク１６Ｘ以外のディスクがディスクチェンジャユニット１１に装填されているか否かが判定される（ステップＳ１５）。なお、この判定は制御部２２がディスクチェンジャユニット１１と相互通信を行なうことにより行なわれる。
【００３１】
また、上述のステップＳ１２において、第Ｘディスク１６Ｘのリッピングが完了していると判定された場合にも（ステップＳ１２Ｙｅｓルート）、ステップＳ１５へ進み、第Ｘディスク１６Ｘ以外のディスクがディスクチェンジャユニット１１に装填されているか否かが判定される。
ここで、第Ｘディスク１６Ｘ以外のディスク（例えば、第Ｘディスク１６Ｘが第１ディスク１６Ａである場合には、第２〜第５ディスク１６Ｂ〜１６Ｅ）のうちの少なくとも１つがディスクチェンジャユニット１１に装填されていることが検出された場合には（ステップＳ１５のＹｅｓルート）、制御部２２が、これらの第Ｘディスク１６Ｘ以外のディスク（第２〜第５ディスク１６Ｂ〜１６Ｅ）のうち、リッピングが完了していないＣＤがあるか否かを判定する（ステップＳ１６）。
【００３２】
ここで、ディスクＸ以外のディスクである第２〜第５ディスク１６Ｂ〜１６Ｅのうち１枚でもリッピングが完了していないディスクがある場合には（ステップＳ１６のＮｏルート）、制御部２２により、当該リッピング未完了のＣＤにおける全トラックの音楽データが、第１ピックアップＡＳＳＹ１７Ａによって読込まれる対象として選定される。そして、さらに、この制御部２２により、選定された第Ｘディスク１６Ｘ以外のディスクにおける音楽データが読込まれるように第１ピックアップＡＳＳＹ１７Ａが制御される（ステップＳ１７）。
【００３３】
その後、当該リッピングが完了すると（ステップＳ１８のＹｅｓルート）、上述したステップＳ１６に戻って、ディスクチェンジャユニット１１に装填されているディスク１６Ａ〜１６Ｅのうちリッピングが完了していないＣＤがあるか否かの判定が再び行なわれる。
そして、このステップＳ１６において、全てのディスクのリッピングが全て完了していると判定されると（Ｙｅｓルート）、この「ディスクモード」に従ったリッピング制御は終了する。
【００３４】
なお、図示は省略するが、ステップＳ１１においてユーザより要求された第Ｘディスク１６Ｘに含まれている音楽の再生は、ＨＤＤ１３内に記録された音楽データがデコーダ２３により読み出されてスピーカ２７から音楽として出力されることで行なわれる。
また、ユーザがリッピングを行なわずに第Ｘディスク１６Ｘに含まれている音楽の再生
をしたい場合には、その旨の要求が操作部１５を介してコンピュータユニット１２に入力され、これにより、直接出力回路１８Ａが作動して、第Ｘディスク１６Ｘから、音楽が直接再生される。
【００３５】
次に、図３に示す「トラックモード」に従った処理ついて説明する。なお、本処理は、図２を用いて上述したディスクモードと同様に、オーディオ装置（記憶再生装置）１０が作動している間、他の処理と共に繰り返し実行される。
図３に示すステップＳ２１において、第Ｘディスク１６Ｘの任意のトラック（以後、「トラックＴ」という）を再生する旨の要求が入力部１５より入力された場合には（Ｙｅｓルート）、制御部２２が、第Ｘディスク１６ＸのトラックＴとして記憶されている音楽データが既にＨＤＤ１３内に音楽データとして記録されているか否か（即ち、リッピング済みであるか否か）を判定する。なお、第Ｘディスク１６Ｘの再生要求がなければ処理を終える（ステップＳ２１のＮｏルート）。
【００３６】
ここで、制御部２２が、第Ｘディスク１６Ｘ・トラックＴのリッピングは完了していると判定した場合には（ステップＳ２２のＹｅｓルート）、後述するステップＳ２５へ進む。一方、制御部２２が、第Ｘディスク１６Ｘ・トラックＴのリッピングはまだ完了していないと判定した場合には（ステップＳ２２のＮｏルート）、さらに、制御部２２が、第１ピックアップＡＳＳＹ１７Ａによって読込まれる対象として、第Ｘディスク１６Ｘ・トラックＴの音楽データを選定し、且つ、選定された第Ｘディスク１６Ｘ・トラックＴの音楽データを読込むように第１ピックアップＡＳＳＹ１７Ａを制御する（ステップＳ２３）。
【００３７】
その後、第Ｘディスク１６Ｘ・トラックＴの音楽データがＨＤＤ１３にＭＰ３形式の音楽データとして記録（即ち、リッピング）された場合には（ステップＳ２４のＹｅｓルート）、その後、第Ｘディスク１６Ｘ以外のディスクがディスクチェンジャユニット１１に装填されているか否かが判定される（ステップＳ２５）。つまり、ここで、第Ｘディスク１６Ｘが第１ディスク１６Ａである場合には、それ以外の第２〜第５ディスク１６Ｂ〜１６Ｅがディスクチェンジャユニット１１に装填されているか否かが判定される。なお、この判定は制御部２２がディスクチェンジャユニット１１と相互通信を行なうことにより行なわれる。
【００３８】
ここで、第Ｘディスク１６Ｘ以外のディスク、即ち、第２ディスク１６Ｂ〜第５ディスク１６Ｅのうち少なくとも１枚がディスクチェンジャユニット１１に装填されていると判定された場合（ステップＳ２５のＹｅｓルート）、制御部２２は、リッピング対象のディスクとして、ディスクチェンジャユニット１１に装填された他のディスクの１つを設定する（ステップＳ２６）。
【００３９】
そして、図４に示すように、制御部２２は、対象のディスクにおいて、リッピングが完了していないトラックがあるか否かを判定し（ステップＳ３１）、ここで、対象のディスクにおいてリッピングが完了していないトラックがある場合には（ステップＳ３１のＮｏルート）、当該未リッピングトラックのリッピングを開始する（ステップＳ３２）。そして、このトラックのリッピングが完了すると、図３のステップＳ２８へ進む（ＥＸＩＴ）。
【００４０】
また、上述のステップＳ３１において、制御部２２が、対象の第Ｘディスクにおいて、トラックＴのリッピングが完了していると判定した場合にも（ステップＳ３１のＹｅｓルート）、図３のステップＳ２８へ進む（ＥＸＩＴ）。
そして、ステップＳ２８において、制御部２２が、ディスクチェンジャユニット１１に装填されている全てのディスク１６Ａ〜１６Ｅにおける全てのトラックのリッピングが完了したか否かを判定する。
【００４１】
この判定において、ディスクチェンジャユニット１１に装填されている全てのディスク１６Ａ〜１６Ｅにおける全てのトラックのリッピングが完了したと判定されるまでステップＳ２５〜Ｓ２８に示す制御が繰り返され（ステップＳ２８のＮｏルート）、その後、ディスクチェンジャユニット１１に装填されている全てのディスク１６Ａ〜１６Ｅにおける全てのトラックのリッピングが完了するとこの「トラックモード」に従ったリッピング制御は終了する（ステップＳ２８のＹｅｓルート）。
【００４２】
また、上述のステップＳ２５において、第Ｘディスク１６Ｘ以外のディスクがいずれもディスクチェンジャユニット１１に装填されていないと判定された場合（ステップＳ２５のＮｏルート）、制御部２２は、ディスクチェンジャユニット１１に装填されている唯一のディスクである第Ｘディスク１６Ｘをリッピング対象のディスクとして設定する（ステップＳ２９）。
【００４３】
そして、ステップＳ３０においては、図４に示すように、制御部２２が、対象ディスクにおいて、リッピングが完了していないトラックがあるか否かを判定する（ステップＳ３１）。ここで、リッピングが完了していないトラックがある場合には（ステップＳ３１のＮｏルート）、対象ディスクにおける未リッピングトラックのリッピングを開始し（ステップＳ３２）、このトラックのリッピングが完了すると、「トラックモード」に従ったリッピング制御を終了する（ＥＸＩＴ）。
【００４４】
他方、上述のステップＳ３１において、制御部２２が、対象ディスクにおいて、全トラックのリッピングが完了していると判定した場合にも（ステップＳ３１のＹｅｓルート）トラックモードに従ったリッピング制御を終了する（ＥＸＩＴ）。
このように、本発明の一実施形態に係るコンテンツ情報の記憶再生装置によれば、ディスクチェンジャユニット１１に装填された第１ディスク１６Ａ〜第５ディスク１６Ｅのそれぞれに記憶されている音楽データを速やかにＨＤＤ１３へ記録、即ち、リッピングを完了させ、且つ、このリッピングされた音楽データによって構成される音楽をユーザに伝達することができる。
【００４５】
また、標準読込み速度のｎ倍（但し、ｎ＞１）で読込みを行なうことで素早く音楽データをＨＤＤ１３に記録することができ、また、第１ディスク１６Ａ〜第５ディスク１６Ｅから、ディスク単位で音楽データを順次読込むことで、効率よく、音楽データをＨＤＤ１３に記録することができる。
また、第１ディスク１６Ａ〜第５ディスク１６Ｅのそれぞれから標準読込み速度のｎ倍（但し、ｎ＞１）で読込みを行なうことで素早く音楽データをＨＤＤ１３に記録することができ、また、第１ディスク１６Ａ〜第５ディスク１６Ｅ内にトラック毎に記憶された音楽データを、トラック単位で順次読込むことで、効率よく、音楽データをＨＤＤ１３に記録することができる。
【００４６】
ユーザに対して伝達されるべき音楽を構成する音楽データがＨＤＤ１３に記録されていない場合には、当該音楽データを第１ディスク１６Ａ〜第５ディスク１６Ｅから優先的に読み込むことで、ユーザに対して音楽を即座に伝達することができる。
また、いずれの第１ディスク１６Ａ〜第５ディスク１６Ｅから音楽データの読込みが中断された場合であっても、その読込みが中断された箇所から再び音楽データの読込みを開始できるので、重複して音楽データを読み込むことを避けることができる。
【００４７】
また、いずれの第１ディスク１６Ａ〜第５ディスク１６Ｅから読み込んだ音楽データであっても、ＨＤＤ１３を介さず、直接ユーザへ音楽として素早く伝達できる。
また、第１または第２ピックアップＡＳＳＹ１７Ａ，１７Ｂによる読込みが行なわれて
いない場合、即ち、第１または第２ピックアップＡＳＳＹ１７Ａ，１７Ｂのいずれか、あるいは両方が休止している場合には、この休止中のピックアップＡＳＳＹを活用して、ＨＤＤ１３に記録されていない音楽データを、第１ディスク１６Ａ〜第５ディスク１６Ｅから効率よく順次読込むことができる。
【００４８】
また、第１および第２ピックアップＡＳＳＹ１７Ａ，１７Ｂによって外部記憶媒体からコンテンツデータを読み込むので、さらに効率よく、コンテンツ情報を内部記憶装置に記録することができる。
また、第１および第２ピックアップＡＳＳＹ１７Ａ，１７Ｂのうち、休止中のものがある場合には、この休止中のピックアップＡＳＳＹを作動させて、ＨＤＤ１３に記録されていない音楽データを第１ディスク１６Ａ〜第５ディスク１６Ｅから順次読込むことで、音楽データを効率よくＨＤＤ１３に記録することができる。
【００４９】
以上、本発明の実施形態を説明したが、本発明は係る実施形態に限定されるものではなく、本発明の趣旨を逸脱しない範囲で種々変形して実施することができる。
上述の実施形態においては、外部記憶媒体としてＣＤである場合について説明したがこのような場合に限定するものではない。例えば、外部記憶媒体としては、ＣＤ−Ｒ，ＣＤ−ＲＷ，ＤＶＤ，ＤＶＤ±ＲＷ，ＤＶＤ−ＲＡＭといった種々の光ディスクでもよいし、ＭＯのような磁気ディスクでもよいし、フラッシュメモリのような半導体素子メモリであってもよい。
【００５０】
また、上述の実施形態においては、コンテンツデータが音楽データである場合について説明したが、このような場合に限定するものではない。例えば、このコンテンツデータが、映画などの動画データであってもよいし、また、この動画データに音楽，音声などの音データが含まれるようにしてもよい。また、このコンテンツデータが、車両のナビゲーション装置に用いられる種々のナビゲーションデータであってもよい。
【００５１】
また、上述の実施形態においては、エンコーダ１９が音楽データをＭＰ３形式に変換する場合を例にとって説明したが、ＭＰ３形式に限定するものではない。
また、上述の実施形態においては、制御部２２が第１ピックアップＡＳＳＹ１７Ａを制御する場合について説明したが、第２ピックアップＡＳＳＹ１７Ｂについても、図２〜図４に示すフローチャートに従って制御することができる。また、図２〜図４に示すフローチャートに従って、第１および第２ピックアップＡＳＳＹ１７Ａ，１７Ｂを同時に制御することもできる。
【００５２】
また、上述の実施形態においては、第Ｘディスク１６Ｘの再生要求があった場合をディスクモードによるリッピングのトリガとした場合を説明し、また、第１ディスク１６Ａ・トラックＴの再生要求があった場合をトラックモードによるリッピングのトリガとした場合を説明したが、このようなトリガに限定するものではない。例えば、入力部１５を介してユーザが直接リッピング開始の要求が入力されるようにしてもよい。
【００５３】
また、上述の実施形態においては、ディスクチェンジャユニット１１に装填されるディスクが５枚である場合を例にとって説明したが、このような場合に限定するものではなく、５枚以下でも以上であっても良いことはいうまでもない。
【図面の簡単な説明】
【００５４】
【図１】本発明の一実施形態に係るコンテンツ情報の記憶再生装置の全体構成を示す模式的なブロック図である。
【図２】本発明の一実施形態に係るコンテンツ情報の記憶再生装置のディスクモードに従ったリッピングを示す模式的なフローチャートである。
【図３】本発明の一実施形態に係るコンテンツ情報の記憶再生装置のトラックモードに従ったリッピングを示す模式的なフローチャートである。
【図４】本発明の一実施形態に係るコンテンツ情報の記憶再生装置のトラックモードにおけるサブルーチンを示す模式的なフローチャートである。
【符号の説明】
【００５５】
１１  ディスクチェンジャユニット（外部記憶媒体保持部）
１３  ハードディスクドライブ（ＨＤＤ；内部記憶装置）
１４出力ユニット（伝達部）
１６  ディスク（外部記憶媒体）
１６Ａ  第１ディスク（外部記憶媒体）
１６Ｂ  第２ディスク（外部記憶媒体）
１６Ｃ  第３ディスク（外部記憶媒体）
１６Ｄ  第４ディスク（外部記憶媒体）
１６Ｅ  第５ディスク（外部記憶媒体）
１７  ピックアップアッセンブリ（ピックアップＡＳＳＹ；読込部）
１７Ａ  第１ピックアップアッセンブリ（第１ピックアップＡＳＳＹ；読込部）
１７Ｂ  第２ピックアップアッセンブリ（第２ピックアップＡＳＳＹ；読込部）
１８  直接出力部
１８Ａ  第１直接出力部（直接出力部）
１８Ｂ  第２直接出力部（直接出力部）
２１  記録部
２２  制御部
２３  デコーダ（読出部）
【図１】
2006268954.tif 000003
【図２】
2006268954.tif 000004
【図３】
2006268954.tif 000005
【図４】
2006268954.tif 000006